(57)【要約】【課題】運搬を容易に、設置を簡単に行い、人力及び送水用に配置したホースの入口と出口の高低差により、水を一定の水域から他の場所へ簡単に送水する。【解決手段】水を送るホース２と、ホース２の入口側２ａの外部に設置し、その入口側２ａを陸地から水中に入れた時に、ホース２の入口側２ａを水面付近に浮かす浮き部材３と、ホース２内を入口５から出口６に向って通過可能で、ホース２内に嵌まると内部空間７を仕切り、ホース２の入口５付き内部空間から出口６付き内部空間への水漏れを防止する気密性部材８と、その気密性部材８を一端部付近に備え付け、ホース２内を挿通可能の長さにして、他端部付近を牽引部９にするロープ１０とを備える。【選択図】図１
2006183258.tif 000002
【特許請求の範囲】
【請求項１】
水を送るホースと、そのホースの入口側外部に設置し、ホースの入口側を陸地から水中に入れた時に、ホースの入口側を水面付近に浮かす浮き部材と、そのホース内を入口又は入口側の任意の位置から出口に向って通過可能で、ホース内に嵌まると内部空間を仕切り、ホースの入口付き内部空間から出口付き内部空間への水漏れを防止する気密性部材と、その気密性部材を１個又は複数個、一端部付近に備え付け、ホース内を挿通可能の長さ又はホース内の任意の位置から出口を通って外部まで伸びる長さにして、他端部付近を牽引部にするロープとを備えることを特徴とする浮上式送水装置。
【請求項２】
気密性部材を球状体にすることを特徴とする請求項１記載の浮上式送水装置。
【発明の詳細な説明】
【技術分野】
【０００１】
本発明は、自然災害時の土砂崩落等によって川が塞き止められてできるダムや洪水による土手の決壊対策としての放水、湖沼、池から田畑への灌漑等に使用して、水を一定の水域から他の場所に送水する浮上式の送水装置に関する。
【背景技術】
【０００２】
近年、主要なダム、湖沼、池、川等には災害対策としての水量調節、灌漑等を考慮して、エンジン、電動モータ等を備えた動力ポンプ付きの送水装置が設置されている。それ故、通常は台風時の大雨に対しても水量調節を行えて、災害の発生を防止できる。
【発明の開示】
【発明が解決しようとする課題】
【０００３】
しかしながら、地震、台風、噴火等によって予期しない大規模の自然破壊が多数箇所で発生すると、山間部では土砂崩落等によって川が塞き止められて多くのダムができる。しかも、このようなダムに対しては簡単に動力ポンプ付き送水装置を設置できない。すると、ダムから他の場所に送水して水量調節を行なえずに日増しに水嵩が増して行き、ダムが自然決壊して大規模な土石流発生の危険が大きくなる。又、大規模な自然災害が発生すると、既にダム、湖沼、池、川等に設置されていた動力ポンプ付きの送水装置も破損したりして使えなくなったりする。
【０００４】
本発明は、このような従来の問題点に着目してなされたものであり、運搬が容易で、設置を簡単に行えて、人力及び送水用に配置したホースの入口と出口の高低差により、水を一定の水域から他の場所へ簡単に送水できる浮上式送水装置を提供することを目的とする。
【課題を解決するための手段】
【０００５】
上記目的を達成するために、本発明による浮上式送水装置は水を送るホースと、そのホースの入口側外部に設置し、ホースの入口側を陸地から水中に入れた時に、ホースの入口側を水面付近に浮かす浮き部材と、そのホース内を入口又は入口側の任意の位置から出口に向って通過可能で、ホース内に嵌まると内部空間を仕切り、ホースの入口付き内部空間から出口付き内部空間への水漏れを防止する気密性部材と、その気密性部材を１個又は複数個、一端部付近に備え付け、ホース内を挿通可能の長さ又はホース内の入口側の任意の位置から出口を通って外部まで伸びる長さにして、他端部付近を牽引部にするロープとを備える。
そして、上記気密性部材を球状体にすると好ましくなる。
【発明の効果】
【０００６】
本発明の浮上式送水装置は主要部がホース、浮き部材、気密性部材、ロープからなり、その体積、重量等が大きな浮き部材を設置現場の付近において調達し易く、例えば山間部の土砂崩落による川塞き止めダムに設置する場合には、近くの山の木を切って丸太にして利用できる。しかも、浮上式送水装置を遠方から運ばずとも、現場において組み立てて、陸地からホースの入口側を水中に入れて水面付近に浮かせて設置できる。それ故、運搬が容易であり、設置が簡単である。
【０００７】
このようにして、ホースの入口側を水面付近に浮かすと、入口から水が浸入してきて、ホースの入口側内部を充満し、又はホース内の入口側の任意の位置に嵌まる気密性部材で仕切られた入口付き内部空間を充満することができる。そして、ホースの出口側を陸地上に這わせて置くと、ホースの出口が入口より高くても、作業者がロープの牽引部に人力を伝えてホースの出口からロープを引き出し続けることにより、先端部付近に備え付けられている気密性部材をホースの入口又は入口側の任意の位置から出口に向って、ホース内を通過させることができる。すると、気密性部材の移動と共に、水を入口付き内部空間内に吸引して満たし、出口に向けて送り続け、気密性部材をホースの出口から引き抜くことにより、放水できる。それ故、人力により水を一定の水域からその水域より高い陸地上の他の場所に簡単に送水できる。
【０００８】
そこで、ホースの出口側の一部を陸地上に這わせて、その一部をホースの入口より高くしても、ホースの出口が入口より低いと、作業者の人力によりホースの出口から一旦放水させることにより、その後作業者の人力によらずに、ホースの入口と出口の高低差によって送水を続けることができる。
【０００９】
又、気密性部材を球状体にすると、作業者がロープを牽引する際にホース内を通過する気密性部材に加わるロープからの牽引力の方向がホースの屈曲等によって変化し、気密性部材が回動しても、球状体であるため常に対応できて、水漏れ防止機能を発揮でき、ホース内面との摩擦抵抗も小さくて円滑な移動を行える。
【発明を実施するための最良の形態】
【００１０】
以下、添付の図１〜４を参照して、本発明の実施の最良形態を説明する。
図１は本発明を適用した浮上式送水装置の断面図、図２はその浮上式送水装置の平面図である。この浮上式送水装置１はホース２の入口側２ａの外部に浮き部材３を設置し、使用時にホース２の入口側２ａを陸地から水中に入れた時に、ホース２の入口側２ａが水面付近に浮くようにして、ホース２の出口側２ｂの少なくとも一部を陸地上に這わせる。そこで、浮き部材３として例えば２本の丸太３ａ、３ｂを用い、その両丸太３をホース２の入口側２ａに並べて沿わせ、結合部材として例えば５本のバンド４（４ａ、…４ｅ）を用いて、一緒に緊縛結合して一体化する。なお、浮き部材としてタイヤチューブ等を用い、結合部材としてロープ、針金等を用いてもよい。
【００１１】
又、ホース２の内部を入口５から出口６に向って通過可能で、ホース２内に嵌まると内部空間７を仕切り、ホース２の入口５付き内部空間から出口６付き内部空間への水漏れを防止する気密性部材８と、その気密性部材８を１個又は複数個、例えば２個の気密性部材８ａ、８ｂを少し離して、一端部付近に連設して備え付け、ホース２内を挿通可能の長さにして、他端部付近を牽引部９にするロープ１０とを用いる。なお、最初から気密性部材８をホース２内の入口側２ａの任意の位置に嵌めておく場合には、ロープ１０の長さをホース２内の入口側２ａの任意の位置から出口６を通って外部まで伸びる長さにする。
【００１２】
そして、気密性部材８として、例えばホース２に嵌める前の外径がホース２の内径より若干大きい軟質ゴム製球状体を用いる。すると、気密性部材８をホース２に嵌めたとき、その気密性部材８の弾力性によって気密性部材８の外径がホース２の内径と等しくなる。そして、作業者がロープ１０を牽引する際に、ホース２内を通過する気密性部材８に加わるロープ１０からの牽引力の方向がホース２の屈曲等によって変化し、気密性部材８が回動しても、弾力性を有する球状体であるため常に対応できて、水漏れ防止機能を発揮でき、ホース２内面との摩擦抵抗も小さくて円滑な移動を行える。なお、気密性部材８として、空気入りスポンジボール、布、麻、スポンジ、軟質ゴム等を適宜使用することもできる。
【００１３】
このような浮上式送水装置１は主要部がホース２、浮き部材３、気密性部材８、ロープ１０等の組立体であり、必ずしも遠方から装置１を組み立てて運ぶ必要がない。設置現場までホース２、浮き部材３、気密性部材８、ロープ１０等の各構成部材を個別に運んで行けばよいので、悪路でも運搬し易く、現場において組み立てを簡単に行える。しかも、体積、重量等の大きな浮き部材３を設置現場において調達し易い。例えば、図３に示すような山間部の土砂崩壊による川塞き止めダム１１に設置する場合には、近くの山の木を切って丸太にして利用できる。
【００１４】
そして、川塞き止めダム１１の水を下方にある川１２に放水するため、浮上式送水装置１に備えたホース２の入口側２ａをダム１１の縁部１１ａから水中に入れて、その入口側２ａを水面付近に浮かして、ホース２の入口５を泥１３が沈殿しているダム１１の底から離し、ホース２の出口側２ｂの一部２ｂ１をダム１１の縁部１１ａにある傾斜の緩やかな陸地上等に這わせる。すると、その一部２ｂ１がホース２の入口５より高くなっても、その出口側２ｂの残部２ｂ２を斜面１４等に這わせることにより、ホース２の出口６を入口５より低くできる。それ故、装置１を簡単に設置できる。
【００１５】
このようにして、ホース２の入口側２ａを水面付近に浮かすと、入口５から自然に水が浸入してきて、入口側２ａの内部を充満する。なお、最初から気密性部材８をホース２内の入口側２ａの任意の位置に嵌めておく場合には、その気密性部材８で仕切られた入口５付き内部空間を充満する。そこで、作業者はロープ１０の牽引部９を直接持ち、或いは牽引部９に備え付けておいた引張棒１５を持って、ホース２の出口６からロープ１０を引き出し続ける。その際、ホース２の一部２ｂ１が入口５より高くなり過ぎる等してロープ１０を引けない場合には人力ウインチを用いる。
【００１６】
すると、ロープ１０の先端部付近に備え付けられている２個の気密性部材８をホース２の入口５から順次入れ、又は入口側２ａの任意の位置から出口６に向かって引っ張ってホース２内を通過させることができる。なお、最初から気密性部材８をホース２内の入口側２ａの任意の位置に嵌めておくと、ホース２の入口５を網状体で閉じ、或いはホース２の入口５に網状体付き短管を接続する等して、入口５から水に浮くごみ等が侵入しないようにできる。
【００１７】
このようなホース２内における気密性部材８の移動時、気密性部材８の移動と共に、図４に示す入口５付き内部空間７ａが広がるのに対し、出口６付き内部空間７ｂが狭まって、水を入口５付き内部空間７ａ内に吸引して満たし、出口６に向けて送り続け、気密性部材８をホース２の出口６から引き抜くことにより、川１２に放水できる。それ故、ダム１１の水を一定水域からその水域より高い縁部１１ａにある陸地上の他の場所に簡単に送水できる。
【００１８】
そして、ホース２の出口６を入口５より低くしておくと、作業者の人力によりホース２の出口６から一旦放水させることにより、その後作業者の人力によらずに、ダム１１の水面が上下動しても、ホース２の入口５と出口６の高低差によって、川１２に放水を続けることができる。なお、ホース２からの放水を止める場合は、浮き部材３上を歩いて行き、その入口５に放水用気密性部材８より球径が若干大きな止水用気密性部材を嵌めるが、その止水用気密性部材には握りを有する短いロープを備え付けておく。又は、そのホース２の入口５付近にある浮き部材３上等に止水用気密性部材を備え付けておき、その止水用気密性部材に備え付けた握りを有する長いロープを陸地から引いて嵌める。
【００１９】
上記実施の形態では浮上式送水装置１を土砂崩落等によって川が塞き止められてできたダム１１に設置する場合について説明したが、当然その他のダム、湖沼、池、川等に災害対策としての水量調節、灌漑等を考慮して設置し、簡易に使用することができる。
【図面の簡単な説明】
【００２０】
【図１】本発明を適用した浮上式送水装置の断面図である。
【図２】同浮上式送水装置の平面図である。
【図３】同浮上式送水装置を土砂崩落等による川塞き止めダムに設置した状態を示す図である。
【図４】同浮上式送水装置に備えるホースの入口側内に気密性部材が嵌まった状態を示す断面図である。
【符号の説明】
【００２１】
１…浮上式送水装置  ２…ホース  ２ａ…入口側  ２ｂ…出口側  ３…浮き部材  ４…結合部材  ５…入口  ６…出口  ７…内部空間  ７ａ…入口付き内部空間  ７ｂ…出口付き内部空間  ８…気密性部材  ９…牽引部  １０…ロープ  １１…ダム  １１ａ…縁部の陸地  １２…川
【図１】
2006183258.tif 000003
【図２】
2006183258.tif 000004
【図３】
2006183258.tif 000005
【図４】
2006183258.tif 000006